(57)【要約】      （修正有）【課題】複数の蛍光灯をストックしておく必要なく、照射対象物に応じて手軽に照射色を変更することができ、かつ、発熱による問題も少ない色調式ＬＥＤ照明具を提供する。【解決手段】色調式ＬＥＤ照明具は、色の異なる複数のＬＥＤ列を備え、各ＬＥＤ列毎に、抵抗値を変更することができるボリューム式可変抵抗器を設けている。ＬＥＤ列は、好ましくは３列あり、一つが青色ＬＥＤ列であり、一つが赤色ＬＥＤ列であり、もう一つが緑色ＬＥＤ列であり得る。【選択図】図１
2012138238.tif 000002
【特許請求の範囲】
【請求項１】
色の異なる複数のＬＥＤ列を備え、各ＬＥＤ列毎に、抵抗値を変更することができるボリューム式可変抵抗器を設けたこと
を特徴とする色調式ＬＥＤ照明具。
【請求項２】
外面に前記ＬＥＤ列が設けられた本体ケースと、
本体ケースの内部に設けられ、各ＬＥＤ列のＬＥＤに供給する電流値をＬＥＤ列毎に調整可能にする前記ボリューム式可変抵抗器を備えた複数の電流駆動回路と、
前記本体ケースの両側面に幅方向に摺動可能に設けられた左右一対の支持部材と
を備え、
前記支持部材の外端部に既存の道路照明灯の蛍光灯ソケットに装着可能な形状及び寸法の端子を設け、
前記支持部材の内部に、前記端子と前記電流駆動回路とを接続する電力供給線を設け、
取り付けるべき照明器具の左右一対の蛍光灯ソケット間の幅に合わせて、前記支持部材を幅方向に摺動させ、適当な位置で前記支持部材の位置を固定することができるように構成した
ことを特徴とする請求項１に記載の色調式ＬＥＤ照明具。
【請求項３】
前記ＬＥＤ列が、３列あり、一つが青色ＬＥＤ列であり、一つが赤色ＬＥＤ列であり、もう一つが緑色ＬＥＤ列である
ことを特徴とする請求項１又は２に記載の色調式ＬＥＤ照明具。
【発明の詳細な説明】
【技術分野】
【０００１】
本発明は、ＬＥＤ照明具に関し、特に、食品等を効果的に照らすことができるＬＥＤ照明具に関する。
【背景技術】
【０００２】
従来から、食品をおいしく見せたり、鮮度良く見せたりするために、食品の種類によって照射する色を変えることが行われている。具体的には、例えば、精肉には生肉独自の赤色を強調するために少し赤色が強い蛍光灯を使い、野菜の場合にはみずみずしさを強調するために僅かに青色が強い蛍光灯を使い、惣菜等には作りたての温かさを強調するために少しオレンジ色が強い蛍光灯を使う等している。
また、熱帯魚や海水魚を飼育する水槽においても、水槽内の演出のために赤色や青色等の様々な色の蛍光灯が用意されている。
上記したように、従来から、様々な場面で演出のために色付きの蛍光灯が用いられている。
しかし、演出効果を高めるためには、上記したように対象物に適した色の蛍光灯が必要であるため、例えば、陳列棚に並べられた食品を照らすための蛍光灯の場合には、陳列棚に並べる商品を変える毎に蛍光灯も変えなければならないという問題が生じる。
また、例えば、水槽内の演出のための蛍光灯の場合でも、水槽の雰囲気を変えるためには複数色の蛍光灯を用意しておき、水槽の雰囲気を変える時に、その都度、蛍光灯を取り換えなければならないという問題がある。
上記したように、色付きの蛍光灯を用いる場合には、複数の色の蛍光灯を用意しておかなければならないので、コストがかかり、かつ、使用していない蛍光灯を保管しておく場所も必要になるのでスペース的にも問題があり、さらに、必要に応じて蛍光灯を取り換えなければならない面倒な作業を強いられる。
上記した問題を解決するために、自動販売機の見本展示ウィンドや商品展示ケース等の展示品陳列部を照明する蛍光灯の取り付けブラケットに、色付き投光板を固定し、該投光板を通して蛍光灯の光を展示品に照射することにより、カラー照明光を展示品に照射することができるようにしたディスプレイ用照明装置が提案されている（特許文献１）。
【先行技術文献】
【特許文献】
【０００３】
【特許文献１】特開２００３−１７８３５９
【発明の概要】
【発明が解決しようとする課題】
【０００４】
上記したディスプレイ用照明装置によれば、投光板を通して蛍光灯の光をカラーにしているため、複数の色付き蛍光灯をストックしておく必要がないという効果を奏する。
しかし、上記した照明装置でも、色を変える場合には投光板の色を変えなければならないので、手間がかかるという問題が残っている。
また、蛍光灯自身の発熱の問題もある。具体的には、例えば、照射対象物が、食品、特に、鮮魚、生肉、野菜等の場合には当然のことながら蛍光灯の熱は好ましくなく、また、照射対象物が水槽の場合でも、蛍光灯の発熱により水槽内の水温が上昇するので好ましくない。
出願人は、上記した従来の問題点に鑑みて、複数の蛍光灯をストックしておく必要なく、照射対象物に応じて手軽に照射色を変更することができ、かつ、発熱による問題も少ない色調式ＬＥＤ照明具を提供することを目的としている。
【課題を解決するための手段】
【０００５】
上記した目的を達成するために、本発明に係る色調式ＬＥＤ照明具は、色の異なる複数のＬＥＤ列を備え、各ＬＥＤ列毎に、抵抗値を変更することができるボリューム式可変抵抗器を設けたことを特徴としている。
ＬＥＤ列は、好ましくは３列あり、一つが青色ＬＥＤ列であり、一つが赤色ＬＥＤ列であり、もう一つが緑色ＬＥＤ列であり得る。
【発明の効果】
【０００６】
本発明に係る色調式ＬＥＤ照明具は、色調式ＬＥＤ照明具は、色の異なる複数のＬＥＤ列を備え、各ＬＥＤ列毎に、抵抗値を変更することができるボリューム式可変抵抗器を設けているので、使用者は可変抵抗器のボリュームを調整するだけで、照射対象物に合わせて照射色を変更することができるので、複数の蛍光灯をストックしておく必要なく、照射対象物に応じて手軽に照射色を変更することができるようになる。また、光源としてＬＥＤを使用しているので、蛍光灯のような発熱による問題が少なく、また、消費電力も抑えることができるという効果を奏する。
【図面の簡単な説明】
【０００７】
【図１】本発明に係る色調式ＬＥＤ照明具１の一部断面概略底面図である。
【図２】本発明に係る色調式ＬＥＤ照明具の第二実施例の構造を示す概略図である。
【発明を実施するための形態】
【０００８】
以下、添付図面を参照して本発明に係る色調式ＬＥＤ照明具の実施の形態について説明していく。
【０００９】
図１は、本発明に係る色調式ＬＥＤ照明具１の第一実施例の一部断面概略底面図である。
図中符号２は、本体ケースを示している。
本体ケース２の底面には、複数の赤色ＬＥＤ３を直線状に並べた赤色ＬＥＤ列４、複数の緑色ＬＥＤ５を直線状に並べた緑色ＬＥＤ列６、及び複数の青色ＬＥＤ７を直線状に並べた青色ＬＥＤ列８を備えている。
また、本体ケース２の内部には各ＬＥＤ列４，６，８を構成する各ＬＥＤ３，５，７の明るさを制御する制御装置９が設けられている。この制御装置９は、赤色ＬＥＤ列４の各ＬＥＤ３に供給される電流を制御する電流駆動回路１０、緑色ＬＥＤ列６の各ＬＥＤ５に供給される電流を制御する電流駆動回路１１、及び青色ＬＥＤ列８の各ＬＥＤ７に供給される電流を制御する電流駆動回路１２が設けられている。前記ＬＥＤ３，５及び７は、例えば、５φの超高輝度砲弾型ＬＥＤである。
各電流駆動回路１０，１１，１２は、それぞれボリューム式可変抵抗器１０ａ，１１ａ，１２ａを備え、これらボリューム式可変抵抗器１０ａ，１１ａ，１２ａで抵抗値を調整することにより、ＬＥＤ３，５及び７の明るさを、ＬＥＤ列４，６及び８毎に調整することができるように構成されている。図１における符号１０ｂは本体ケース２に設けられたボリューム式可変抵抗器１０ａの抵抗調整ダイヤルを示し、符号１１ｂは本体ケース２に設けられたボリューム式可変抵抗器１１ａの抵抗調整ダイヤルを示し、符号１２ｂは本体ケース２に設けられたボリューム式可変抵抗器１２ａの抵抗調整ダイヤルを各々示している。
本体ケース２の左右側壁には、ガイド部材１５が設けられており、各ガイド部材１５に摺動可能に支持部材１６が設けられている。
各支持部材１６の先端には、既存の蛍光灯用道路照明灯の蛍光灯ソケット（図示せず）に装着可能な端子１７が設けられている。
また、各支持部材１６の内部には、一端が端子１７に接続された電力供給線１８が通っており、これら電力供給線１８は制御装置９における各電流駆動回路１０，１１及び１２に接続されている。
例えば、既存の蛍光灯用道路照明灯は、使用する蛍光灯に応じて１００Ｖや２００Ｖの印加電圧が使用されているが、前記電流駆動回路１０，１１及び１２によりＬＥＤ３，５，７に供給される電流を定電流にして抵抗値に応じた輝度が確保できるように構成されている。
各ガイド部材１５には、支持部材１６を所定の位置で固定するためのボルト１９が設けられている。
上記したように構成された色調式ＬＥＤ照明具によれば、三色のＬＥＤ３，５，７から成るＬＥＤ列４，６，８を設け、各ＬＥＤ列４，６，８の明るさを独立して調整することができるように構成されているので、複数の蛍光灯をストックしておく必要なく、照射対象物に応じて手軽に照射色を変更することができるようになる。また、光源としてＬＥＤを使用しているので、蛍光灯のような発熱による問題が少なく、また、消費電力も抑えることができるという効果を奏する。
また、本実施例に係る色調式ＬＥＤ照明具は、端子１７が設けられた支持部材１６を、本体ケース２のガイド部材１５に摺動可能に設けているので、支持部材１６の位置を調整することで、ＬＥＤ照明具全体の幅を取り付けるべき既存の照明器具の蛍光灯の幅に合わせることができる。
従って、既存の蛍光灯用照明器具のランプソケット間の幅が、如何なる寸法であっても、支持部材１６の位置を調整することで、ＬＥＤ照明具全体の幅を取り付けるべき照明器具の蛍光灯の幅に合わせることができるので、既存の蛍光灯用照明器具の構造をそのまま利用して、照明具を蛍光灯から色の調整が可能な色調式ＬＥＤ照明具に変更することが可能になる。
【００１０】
次に、図２を参照して、本発明に係る色調式ＬＥＤ照明具の第二実施例について説明していく。
図２は、本発明に係る色調式ＬＥＤ照明具の第二実施例の構造を示す概略図である。
図中符号２１は色調式ＬＥＤ照明具全体を示し、符号２２は本体ケースを示している。
本体ケース２２には、複数の赤色ＬＥＤ２３を直線状に並べた赤色ＬＥＤ列２４、複数の緑色ＬＥＤ２５を直線状に並べた緑色ＬＥＤ列２６、及び複数の青色ＬＥＤ２７を直線状に並べた青色ＬＥＤ列２８を備えている。
また、本体ケース２の外部には各ＬＥＤ列２４，２６，２８を構成する各ＬＥＤ２３，２５，２７の明るさを制御する制御装置２９が設けられている。この制御装置２９は、赤色ＬＥＤ列２４の各ＬＥＤ２３に供給される電流を制御する電流駆動回路３０、緑色ＬＥＤ列２６の各ＬＥＤ２５に供給される電流を制御する電流駆動回路３１、及び青色ＬＥＤ列２８の各ＬＥＤ２７に供給される電流を制御する電流駆動回路３２が設けられている。前記ＬＥＤ２３，２５及び２７は、例えば、５φの超高輝度砲弾型ＬＥＤである。
各電流駆動回路３０，３１，３２は、それぞれボリューム式可変抵抗器３０ａ，３１ａ，３２ａを備え、これらボリューム式可変抵抗器３０ａ，３１ａ，３２ａで抵抗値を調整することにより、ＬＥＤ２３，２５及び２７の明るさを、ＬＥＤ列２４，２６及び２８毎に調整することができるように構成されている。
図２における符号３０ｂは制御装置２９に設けられたボリューム式可変抵抗器３０ａの抵抗調整ダイヤルを示し、符号３１ｂは制御装置２９に設けられたボリューム式可変抵抗器３１ａの抵抗調整ダイヤルを示し、符号３２ｂは制御装置２９に設けられたボリューム式可変抵抗器３２ａの抵抗調整ダイヤルを各々示している。
【００１１】
さらに、上記した実施例では、色調式ＬＥＤ照明具は、赤色ＬＥＤ列、青色ＬＥＤ列及び緑色ＬＥＤ列の三つのＬＥＤ列を備えているが、ＬＥＤの色及びＬＥＤ列の数は本実施例に限定されることなく、任意の色及び任意の数に設定することができる。
【符号の説明】
【００１２】
１    色調式ＬＥＤ照明具
２    本体ケース
３    赤色ＬＥＤ
４    赤色ＬＥＤ列
５    緑色ＬＥＤ
６    緑色ＬＥＤ列
７    青色ＬＥＤ
８    青色ＬＥＤ列
９    制御装置
１０    電流駆動回路
１０ａ  ボリューム式可変抵抗器
１０ｂ  抵抗調整ダイヤル
１１  電流駆動回路
１１ａ  ボリューム式可変抵抗器
１１ｂ  抵抗調整ダイヤル
１２  電流駆動回路
１２ａ  ボリューム式可変抵抗器
１２ｂ  抵抗調整ダイヤル
１５  ガイド部材
１６  支持部材
１７  端子
１８  電極供給線
１９  ボルト
２１    色調式ＬＥＤ照明具
２２    本体ケース
２３    赤色ＬＥＤ
２４    赤色ＬＥＤ列
２５    緑色ＬＥＤ
２６    緑色ＬＥＤ列
２７    青色ＬＥＤ
２８    青色ＬＥＤ列
２９    制御装置
３０    電流駆動回路
３０ａ  ボリューム式可変抵抗器
３０ｂ  抵抗調整ダイヤル
３１  電流駆動回路
３１ａ  ボリューム式可変抵抗器
３１ｂ  抵抗調整ダイヤル
３２  電流駆動回路
３２ａ  ボリューム式可変抵抗器
３２ｂ  抵抗調整ダイヤル
【図１】
2012138238.tif 000003
【図２】
2012138238.tif 000004